【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
第１人物識別子を検証する方法であって、
ａ．第１人物識別子を含む検証要求を受信し、
ｂ．ｉ    第１人物識別子及び第２人物識別子が同一人物条件を満たし、
ｉｉ  第１人物識別子の送信者及び前記第２人物識別子の送信者が同一送信者条件を満たし、
ｉｉｉ  前記第２人物識別子が該第２人物識別子の前記送信者を識別する、
ことを含む検証条件が真であるか否かを推定する方法。
【請求項２】
前記第１人物識別子が第１人物識別子の前記送信者を識別するか否かを示唆する検証報告を送信する段階を更に有し、
前記検証報告が前記推定の結果に基づいて作成されていることを特徴とする請求項１記載の方法。
【請求項３】
前記検証要求が、
ａ．前記第２人物識別子、
ｂ．前記第１人物識別子の前記送信者に関する第１送信者指示子、
ｃ．前記第２人物識別子の前記送信者に関する第２送信者指示子、
ｄ．前記第２人物識別子のための検証情報、
からなる群より選択される少なくとも１つの情報要素を更に含んでいることを特徴とする請求項１記載の方法。
【請求項４】
前記推定が更に、
ａ．少なくとも１つのクエリーを、少なくとも１つの人物識別子−送信者指示子データベースへ送信し、
ｂ．少なくとも１つのクエリーに対する少なくとも１つの応答を受信することを含む、
ことを特徴とする請求項１記載の方法。
【請求項５】
前記少なくとも１つのクエリーの少なくとも１つが、少なくとも１つの前記検証条件として記載される条件を有するクエリーであることを特徴とする請求項４記載の方法。
【請求項６】
前記推定が更に、前記少なくとも１つのクエリーに対する少なくとも１つの応答が、前記少なくとも１つのクエリーに記載された前記少なくとも１つの検証条件以外の少なくとも１つの検証条件を満たすことを特徴とする請求項５記載の方法。
【請求項７】
第１人物識別子及び第２人物識別子が、
ａ．前記２つの人物識別子が識別部を含む、
ｂ．前記２つの人物識別子がスペルによる相違以外の識別部を含む、
ｃ．前記２つの人物識別子の一方が、前記２つの人物識別子の他方の省略形を含む、
ｄ．前記２つの人物識別子が番号が近似する電話番号である、
ｅ．前記２つの人物識別子が地理的に近似するパラメータを含む、
ｆ．ディレクトリ記録が、前記２つの人物識別子の一方の同一人物関係を有する人物識別子と、前記２つの人物識別子の他方の同一人物関係を有する他の人物識別子を関連している、
ｇ．前記２つの人物識別子の各々が、第３人物識別子の同一人物関係を夫々有している、
ことからなる群から選択される２つの人物識別子の間における少なくとも１つの関係を含む同一人物関係を有する場合に、前記同一人物条件が満たされることを特徴とする請求項１記載の方法。
【請求項８】
前記第１人物識別子を包含するメッセージ及び前記第２人物識別子を包含するメッセージが、前記第１メッセージ及び第２メッセージの間において、
ａ．共通の不可欠メッセージに於ける前記第１メッセージ及び前記第２メッセージの構成員、
ｂ．前記第１メッセージが送信された時刻及び前記第２メッセージが送信された時刻の間における関係、
ｃ．前記第１メッセージの送信者の信頼できるネットワーク・アドレス及び前記第２メッセージの送信者の信頼できるネットワーク・アドレスの間における関係、
ｄ．前記第１メッセージに含まれる第１シークレットと前記第２メッセージに含まれる第２シークレットが共通のシークレットから派生したものである、
ｅ．前記第１メッセージの送信者へ送信された第１シークレット及び前記第２メッセージに包含される第２シークレットが共通のシークレットから派生したものである、
ｆ．各前記メッセージが、夫々第３メッセージの同一送信者関係を有している、
ことからなる群から選択される少なくとも１つの関係を含む同一送信者関係を有している場合に、前記同一送信者条件が満たされることを特徴とする請求項１記載の方法。
【請求項９】
前記第１メッセージの前記送信者の前記信頼できるネットワーク・アドレス及び前記第２メッセージの前記送信者の前記信頼できるネットワーク・アドレスの間における前記関係が、
ａ．前記第１メッセージの前記送信者の前記信頼できるネットワーク・アドレス及び前記第２メッセージの前記送信者の前記信頼できるネットワーク・アドレスの識別である、
ｂ．前記第１メッセージの前記送信者の前記信頼できるネットワーク・アドレス及び前記第２メッセージの前記送信者の前記信頼できるネットワーク・アドレスの共通するサブ−ネットワークにおける構成員である、
ｃ．共通の組織による、前記第１メッセージの前記送信者の前記信頼できるネットワーク・アドレス及び前記第２メッセージの前記送信者の前記信頼できるネットワーク・アドレスを使用する、
ｄ．２つの関連する組織による、前記第１メッセージの前記送信者の前記信頼できるネットワーク・アドレス及び前記第２メッセージの前記送信者の前記信頼できるネットワーク・アドレスを使用する、
ｅ．共通のインターネット・サービス・プロバイダによる、前記第１メッセージの前記送信者の前記信頼できるネットワーク・アドレス及び前記第２メッセージの前記送信者の前記信頼できるネットワーク・アドレスを使用する、
ｆ．現存する共通のインターネット・サービス・プロバイダ・ポイントによる、前記第１メッセージの前記送信者の前記信頼できるネットワーク・アドレス及び前記第２メッセージの前記送信者の前記信頼できるネットワーク・アドレスを使用する、
ｇ．前記第１メッセージの前記送信者の前記信頼できるネットワーク・アドレス及び前記第２メッセージの前記送信者の前記信頼できるネットワーク・アドレスの近似の地理的な位置に関連する、
ことからなる群から選択される少なくとも１つの関係を含んでいることを特徴とする請求項８に記載の方法。
【請求項１０】
少なくとも１つの前記信頼できるネットワーク・アドレスが、IPアドレス、UDPポート番号を伴うIPアドレス、TCPセッション・ハンドル及び物理的インターフェース識別子からなる群から選択される信頼できるネットワーク・アドレスであることを特徴とする請求項８記載の方法。
【請求項１１】
少なくとも１つの前記第１及び第２シークレットが、装置により維持されるシークレット、シークレットHTTPクッキー、シークレットHTTPセキュア・クッキー、SMTPヘッダ、HTTPヘッダ、ハードウエア識別子、前記装置にインストールされるソフトウェア要素において維持されるシークレット、オンライン使用のための人物を割り当てるシークレット、ユーザネームとパスワード、シークレットURL、ネットワーク・アドレス、IPアドレス、UDPポート番号及び、TCPセッション・ハンドルからなる群から選択されるシークレットであることを特徴とする請求項８記載の方法。
【請求項１２】
少なくとも１つの人物識別子条件が真であり、前記第２人物識別子条件が、
ａ．前記第２人物識別子が、人物識別子の検証のために既存の方法を使用することを検証された、
ｂ．前記第２人物識別子が、前記第２人物識別子を基にする正しいオフライン・アクションを実行することによって検証された、
ｃ．前記第２人物識別子が、正しく口座に課金されることによって検証された、
ｄ．前記第２人物識別子が、正しくクレジットカードに課金されることによって検証された、
ｅ．前記第２人物識別子が、メーリング・アドレスへ送信されるオンライン・コードを受信することによって検証された、
ｆ．前記第２人物識別子が、電話呼び出しへ送るオンライン・コードを受信することによって検証された、
ｇ．前記第２人物識別子が、電話呼び出しの間に、オンラインへ送信されたコードを受信することによって、検証された、
ｈ．前記第２人物識別子が不正行為の特殊なタイプの条件において受信された、
ｉ．前記第２人物識別子が、第１人物識別子が送信される一定期間以前に送信された、
ｊ．前記第２人物識別子が、第１人物識別子が送信された一定期間後に送信された、
ｋ．前記第２人物識別子が、不正行為者が不正行為を行う気持ちを無くさせるサービスへ送られた、
ｌ．前記第２人物識別子が、合法的なユーザの典型的且つ有効なオンライン行為と関連する、
ｍ．前記第２人物識別子が、前記第２人物識別子の前記送信者の信用に値する認可された代理人であった、
ｎ．前記第２人物識別子が、請求項１の方法を使用することによって検証された、
ことから選択される条件である場合に、前記第２人物識別子が前記第２人物識別子の前記送信者を識別しているとみなすことを特徴とする請求項１記載の方法。
【請求項１３】
前記推定が、
ａ．法則に基づいた論理、
ｂ．自動学習技術、
ｃ．ニューラル・ネットワーク、
ｄ．確率論的解析、
からなる群から選択される少なくとも１つの推定方法を使用することに影響を受けることを特徴とする請求項１記載の方法。
【請求項１４】
前記検証報告は、
ａ．肯定的な応答、
ｂ．否定的な応答、
ｃ．前記第２人物識別子、
ｄ．前記第２人物識別子に関する送信者指示子、
ｅ．前記第２人物識別子の検証情報、
ｆ．前記第１人物識別子及び前記第２人物識別子が同一人物条件を満たす確率を記載するスコア、
ｇ．前記第１人物識別子の前記送信者及び前記第２人物識別子の前記送信者が同一送信者条件を満たす確率を記載するスコア、
ｈ．前記第２人物識別子が前記第２人物識別子の前記送信者を識別する確率を記載するスコアと、
ｉ．前記第１人物識別子が前記第１人物識別子の前記送信者を識別する確率を記載するスコア、
からなる群から選択される少なくとも１つの情報要素を含んでいることを特徴とする請求項２記載の方法。
【請求項１５】
前記第１人物識別子が該第１人物識別子の前記送信者を識別する前記確率が記載されるスコアが、
ａ．前記第１人物識別子及び前記第２人物識別子が同一人物条件を満たす確率、
ｂ．前記第１人物識別子の前記送信者及び前記第２人物識別子の前記送信者が同一人物条件を満たす確率、
ｃ．前記第２人物識別子が前記第２人物識別子の前記送信者を識別する確率、
ｄ．前記同一送信者条件の基本とされるシークレットとのアクセスを得る困難性、
ｅ．前記第１人物識別子の前記送信者のアドレスにおける信頼性、
ｆ．前記第２人物識別子の前記送信者のアドレスにおける信頼性、
ｇ．推定の前記段階において使用される永久のデータ・ソースの正確度及び信頼性、
ｈ．前記第１人物識別子の普及性、
ｉ．前記第２人物識別子の普及性、
ｊ．人々が人物識別子を変更する傾向、
ｋ．第１人物識別子の送信及び第２人物識別子の送信の間における経過時間、
ｌ．前記第２人物識別子により識別される口座を課金したときからの経過時間、
ｍ．前記第２人物識別子により識別されるクレジットカードに課金したときからの経過時間、
からなる群から選択される少なくとも１つのパラメータに基づいていることを特徴とする請求項１４記載の方法。
【請求項１６】
前記推定が更に、
ａ．少なくとも１つの人物識別子ディレクトリへ、少なくとも１つのクエリーを送信し、
ｂ．前記少なくとも１つのクエリーに対する前記少なくとも１つの応答を受信することを含む、
ことを特徴とする請求項１記載の方法。
【請求項１７】
更に、
ａ．前記第１人物識別子、
ｂ．前記第２人物識別子、
ｃ．第１人物識別子に関する第１送信者指示子、
ｄ．前記第２人物識別子に関する第２送信者指示子、
からなる群から選択される少なくとも１つの情報要素の少なくとも一部における、少なくとも１つのハッシュを発生する段階を含むことを特徴とする請求項１記載の方法。
【請求項１８】
更に、
ａ．機密情報、
ｂ．偽検証の許容レベル、
からなる群から選択される少なくとも１つの考慮事項に基づいて、少なくとも１つの前記ハッシュのサイズを決定する段階を有することを特徴とする請求項１７記載の方法。
【請求項１９】
前記第１人物識別子の前記送信者からの前記第１人物識別子を受信するエンティティが、前記第２人物識別子の前記送信者からの前記第２人物識別子を受信するエンティティと異なっていることを特徴とする請求項１記載の方法。
【請求項２０】
推定が行われる段階が、前記第２人物識別子以外の少なくとも１つの人物識別子を伴い繰り返されることを特徴とする請求項１記載の方法。
【請求項２１】
推定が行われる前記段階において前記第２人物識別子として使用するために、複数の人物識別子から１つの人物識別子を選択する段階を更に含むことを特徴とする請求項１記載の方法。
【請求項２２】
第１人物識別子の前記送信者から少なくとも１つの送信者指示子を取得する段階を更に含むことを特徴とする請求項１記載の方法。
【請求項２３】
前記推定の結果と人物識別子を検証する少なくとも他の方法の結果を結合する段階を更に含むことを特徴とする請求項１記載の方法。
【請求項２４】
前記第１人物識別子及び前記第２人物識別子からなる群から選択される少なくとも１つの人物識別子が、下記に構成される群から選択される少なくとも１つの情報要素を含むことを特徴とする請求項１記載の方法。
フルネーム、ファーストネーム、ミドルネーム、ラストネーム、イニシャルネーム、肩書き、住所、国、州、市、ストリート・アドレス、部屋番号、郵便番号、電話番号、Ｅメール・アドレス、金融口座番号、クレジットカード番号、銀行口座番号、政府発行の識別子、社会保障番号、運転免許書番号、国家ID番号、パスポート番号、個人の特徴、身長、体重、性別、外観、人種及び頭髪の色。
【請求項２５】
第１人物識別子は、ワイド・エリア・ネットワーク、インターネット、プライベイト・データ・ネットワーク、CATVデータ・ネットワーク及びモバイル・データ・ネットワークからなる群から選択されるネットワークを介して送信されることを特徴とする請求項１記載の方法。
【請求項２６】
第１人物識別子を検証するシステムであって、
ａ．第１人物識別子を含む検証要求を受信する受信手段と、
ｂ．第１人物識別子及び第２人物識別子が同一人物識別子条件を満たすか否かを推定するため、前記第１人物識別子の送信者及び前記第２人物識別子の送信者が同一送信者条件を満たすか否かを推定するため及び前記第２人物識別子が前記第２人物識別子の前記送信者を識別するか否か推定するための検証推定手段、
を有することを特徴とするシステム。
【請求項２７】
検証報告が前記検証推定手段の出力を基にして形成され、第１人物識別子が該第１人物識別子の前記送信者を識別するか否かを指示する検証報告を送信する報告手段を更に有することを特徴とする請求項２６記載のシステム。
【請求項２８】
人物識別子ディレクトリへクエリーを送信するとともに、前記検証推定手段により使用され且つ該クエリーに対する応答を受信する人物識別子ディレクトリ・クエリー・モジュールを更に含むことを特徴とする請求項２６記載のシステム。
【請求項２９】
少なくとも１つの人物識別子ディレクトリを含むことを特徴とする請求項２８記載のシステム。
【請求項３０】
少なくとも１つの人物識別子送信者指示子データベースへクエリーを送信するとともに、前記検証推定手段により使用され且つ前記クエリーに対する応答を受信する少なくとも１つの人物識別子送信者指示子データベース・クエリー・モジュールを更に有することを特徴とする請求項２６記載のシステム。
【請求項３１】
少なくとも１つの前記人物識別子送信者指示子データベースを含むことを特徴とする請求項３０記載のシステム。
【請求項３２】
ａ．第１人物識別子、
ｂ．前記第２人物識別子、
ｃ．第１人物識別子に関する第１送信者指示子、
ｄ．前記第２人物識別子に関する第２送信者指示子、
からなる群から選択される少なくとも１つの情報要素の少なくとも一部を有する少なくとも１つのハッシュを発生させるハッシュ発生手段を含むことを特徴とする請求項２６記載のシステム。
【請求項３３】
ａ．第１人物識別子を含む識別要求を受信すること、
ｂ．第１ユーザがＥメールアドレスに送信されるメッセージにアクセスすることができることを識別すること、
ｃ．ｉ．第１人物識別子及び前記Ｅメールアドレスが同一人物条件を満たすかどうか、
ｉｉ．第１送信者及び前記第１ユーザが同一人物条件を満たすかどうか、
ｉｉｉ．前記Ｅメールアドレスが第２ユーザを識別し、前記第２ユーザが前記Ｅメールアドレスに登録されるかどうか、
を評価すること、
からなる、第１送信者によって送信される第１人物識別子を識別する方法。
【請求項３４】
前記Ｅメールアドレスが、インスタント・メッセージング・サービスの独自の識別子によって差し替えられることを特徴とする請求項３３の方法。
【請求項３５】
最初のユーザがＥメールアドレスに送信されたメッセージにアクセスすることができることを識別する段階が、
ａ．前記Ｅメールアドレスに秘密情報を送ること、
ｂ．前記最初のユーザからの前記秘密情報から派生する情報を受信すること、
からなることを特徴とする請求項３３の方法。
【請求項３６】
前記Ｅメールアドレスは、もし少なくとも１つの条件が真実であるならば前記第２ユーザを識別するために認められ、前記条件は、
ａ．前記Ｅメールアドレスが、権限が付与された信用できる前記第２ユーザの代理人によって作られたこと、
ｂ．前記Ｅメールアドレスが詐欺とは異なる条件で登録されたこと、
ｃ．前記Ｅメールアドレスが前記第１人物識別子を受信する前に相当の期間をおいて登録されたこと、
ｄ．前記Ｅメールアドレスは、前記第１人物識別子が送信される前に相当の期間をおいて届けることが可能であったこと、
ｅ．Ｅメール・メッセージが、前記第１人物識別子が送信される前に相当の期間をおいて前記Ｅメールアドレスに送信されたこと、
ｆ．前記Ｅメールアドレスがマーケティング・データベースに含まれること、
ｇ．前記Ｅメールアドレスが、詐欺師が詐欺を行う気を無くすサービスに送信されること、
ｈ．前記Ｅメールアドレスが正当なユーザの重要なオンライン活動と結び付くこと、
からなる群から選択されることを特徴とする請求項３３の方法。